(57)【特許請求の範囲】
【請求項１】
ブレーキパッドであって、
バッキングプレートと、
前記バッキングプレートによって支持される摩擦パッドとを備え、前記摩擦パッドは、前記摩擦パッドの周縁部によって少なくとも部分的に規定される摩擦面を有し、かつ、前記周縁部と前記バッキングプレートとの間に延在する周側壁を有し、前記周縁部は複数の周側縁部を備え、前記側縁部の少なくとも１つは、複数の起伏を有する複雑なエッジプロファイルを含み、
各起伏は、それぞれ、前記バッキングプレートの周囲に向かって、かつ周囲から離れるように、前記摩擦面の平面内に延在する波の山および波の谷を含み、
前記摩擦パッドは、前記摩擦面に沿って延在する曲線溝を含み、前記曲線溝は、１つの起伏の波の谷から別の起伏の波の谷に延在するか、１つの起伏の波の山から別の起伏の波の山に延在するか、または１つの起伏の波の山から別の起伏の波の谷に延在する、ブレーキパッド。
【請求項２】
前記バッキングプレートは、前記摩擦面の前記周縁部の前記複雑なエッジプロファイルにおける前記起伏の前記波の山または前記波の谷と位置が対応するノッチを含む、請求項１に記載のブレーキパッド。
【請求項３】
前記摩擦面は１つ以上の面取り面をさらに含む、請求項１に記載のブレーキパッド。
【請求項４】
前記摩擦パッドは、非伸長形状と、０．０４７９以上０．０５７８以下の下記数式１で規定されるコンパクト性とを有する、請求項１に記載のブレーキパッド。
【数１】
0006626006.tif 000003
【請求項５】
前記摩擦パッドは、半伸長形状と、０．０３９４以上０．０４９５以下の下記数式１で規定されるコンパクト性とを有する、請求項１に記載のブレーキパッド。
【数１】
0006626006.tif 000004
【請求項６】
前記摩擦パッドは、伸長形状と、０．０３３０以上０．０４７０以下の下記数式１で規定されるコンパクト性とを有する、請求項１に記載のブレーキパッド。
【数１】
0006626006.tif 000005
【請求項７】
前記周側壁の面積に対する前記摩擦面の面積の比は、１．１８：１以上２．４９：１以下である、請求項１に記載のブレーキパッド。
【請求項８】
前記摩擦パッドの前記周縁部は、４個以上１３個以下の起伏を含む複雑なエッジプロファイルを備える、請求項１に記載のブレーキパッド。
【請求項９】
前記複雑なエッジプロファイルは、７個以上９個以下の起伏を含む、請求項８に記載のブレーキパッド。
【請求項１０】
摩擦パッドであって、
周縁部を有する摩擦面を備え、前記周縁部は、ともに前記周縁部を形成する上周側縁部、下周側縁部、左周側縁部および右周側縁部を含み、前記摩擦パッドはさらに、
前記摩擦面の前記周側縁部の少なくとも１つに複雑なエッジプロファイルを備え、前記複雑なエッジプロファイルは複数の起伏を含み、前記左および右周側縁部の各々は、１つ以上の複雑なエッジプロファイルの少なくとも一部を含み、前記左周側縁部の１つ以上の起伏は、前記右周側縁部の１つ以上の起伏を鏡映し、前記摩擦パッドはさらに、
前記周側縁部のうちの２つの異なる周側縁部同士の間を前記摩擦面に沿って延在する１つ以上の曲線溝を備える、摩擦パッド。
【請求項１１】
前記上周側縁部は複雑なエッジプロファイルの少なくとも一部を含み、前記上周側縁部は、前記摩擦面の他のどの周側縁部よりも多い起伏を含む、請求項１０に記載の摩擦パッド。
【請求項１２】
前記下周側縁部は複雑なエッジプロファイルの少なくとも一部を含み、前記下周側縁部は、前記摩擦面の他のどの周側縁部よりも多い起伏を含む、請求項１０に記載の摩擦パッド。
【発明の詳細な説明】
【技術分野】
【０００１】
本発明は概してブレーキパッドに関し、特に、車両用ディスクブレーキパッドに関する。
【背景技術】
【０００２】
背景
ディスクブレーキパッドは、オートバイ、自動車、およびトラックを含むさまざまなサイズのさまざまな車両に用いられており、バッキングプレートと、バッキングプレートに取付けられた摩擦パッドとを一般に含む。ブレーキパッド、バッキングプレート、および／または摩擦パッドのサイズおよび形状は、それらが用いられる車両のサイズおよび／または重量といったものに依存して異なり得る。さらに、摩擦パッドのサイズおよび形状は、さまざまな理由でスロットおよび／またはノッチなどの特徴を含む場合があり、当該理由の１つはブレーキ鳴きを減少させたいという要求である。たとえば、米国特許第８，１５１，４３３  Ｂ２号および米国特許第８，５０５，６９８  Ｂ２号に示されて記載されているように、ブレーキ音は、従来の摩擦パッドの形状を修正して、摩擦パッドの縁部の近くの面取り部、摩擦パッドのさまざまな横方向スロット、およびＵまたはＶ字状のノッチを含むことによって減少し得る。
【０００３】
ブレーキ音以外に、停止力、停止距離、耐摩耗性、製造性、熱管理、および運転者ペダル応答を含む、ブレーキパッドに関する他の性能問題が起こる。ゆえに、異なる車両プラットフォームに容易に適合可能である態様でパッドのこれらおよび他の性能特性に対処するブレーキパッドを開発することが引き続き必要である。
【発明の概要】
【発明が解決しようとする課題】
【０００４】
要約
発明の目的は、上述のブレーキパッド性能問題の少なくともいくつかに対処することである。
【課題を解決するための手段】
【０００５】
ある実施形態によると、バッキングプレートと、バッキングプレートによって支持される摩擦パッドとを含むブレーキパッドが提供される。摩擦パッドは、摩擦パッドの周縁部によって少なくとも部分的に規定される摩擦面を有し、かつ、周縁部とバッキングプレートとの間に延在する周側壁を有する。周縁部は複数の周側縁部を含み、側縁部の少なくとも１つは、複数の起伏を有する複雑なエッジプロファイルを含む。
【０００６】
他の実施形態では、前段落のブレーキパッドは、以下の特徴のいずれか１つ以上を、任意の技術的に実行可能な組合わせで含んでもよい：
−  各起伏は、それぞれ、バッキングプレートの周囲に向かって、かつ周囲から離れるように、摩擦面の平面内に延在する波の山および波の谷を含んでもよい；
−  バッキングプレートは、摩擦面の周縁部の複雑なエッジプロファイルにおける起伏の波の山または波の谷と位置が対応するノッチを含んでもよい；
−  摩擦パッドは、周縁部の１つ以上の部分同士の間を摩擦面に沿って延在する１つ以上の曲線溝を含んでもよい；
−  摩擦パッドは、１つの起伏の波の谷から別の起伏の波の谷に延在する曲線溝を含んでもよい；
−  摩擦パッドは、１つの起伏の波の山から別の起伏の波の山に延在する曲線溝を含んでもよい；
−  摩擦パッドは、１つの起伏の波の山から別の起伏の波の谷に延在する曲線溝を含んでもよい；
−  摩擦面は１つ以上の面取り面を含んでもよい；
−  摩擦パッドは、非伸長形状と、０．０４７９（を含む）から０．０５７８（を含む）のコンパクト性とを有してもよい；
−  摩擦パッドは、半伸長形状と、０．０３９４（を含む）から０．０４９５（を含む）のコンパクト性とを有してもよい；
−  摩擦パッドは、伸長形状と、０．０３３０（を含む）から０．０４７０（を含む）のコンパクト性とを有してもよい；
−  周側壁の面積に対する摩擦面の面積の比は、１．１８：１（を含む）から２．４９：１（を含む）であってもよい；
−  摩擦パッドの周縁部は、４個（を含む）から１３個（を含む）の起伏を含む複雑なエッジプロファイルを含んでもよい；および／または
−  摩擦パッドの周縁部は、７個（を含む）から９個（を含む）の起伏を含む複雑なエッジプロファイルを含んでもよい。
【０００７】
別の実施形態によると、周縁部を有する摩擦面を含む摩擦パッドであって、周縁部は、ともに周縁部を形成する上周側縁部、下周側縁部、左周側縁部および右周側縁部を含む摩擦パッドが提供される。摩擦パッドはさらに、摩擦面の周側縁部の少なくとも１つに複雑なエッジプロファイルを含む。複雑なエッジプロファイルは複数の起伏を含む。摩擦パッドはさらに、周側縁部のうちの２つの異なる周側縁部同士の間を摩擦面に沿って延在する１つ以上の曲線溝を含む。
【０００８】
他の実施形態では、前段落の摩擦パッドは、以下の特徴の１つ以上を、任意の技術的に実行可能な組合わせで含んでもよい：
−  左および右周側縁部の各々は、１つ以上の複雑なエッジプロファイルの少なくとも一部を含んでもよく、左周側縁部の１つ以上の起伏は、右周側縁部の１つ以上の起伏を鏡映していてもよい；
−  上周側縁部は複雑なエッジプロファイルの少なくとも一部を含んでもよく、上周側縁部は、摩擦面の他のどの周側縁部よりも多い起伏を含んでもよい；および／または
−  下周側縁部は複雑なエッジプロファイルの少なくとも一部を含んでもよく、下周側縁部は、摩擦面の他のどの周側縁部よりも多い起伏を含んでもよい。
【０００９】
発明の好ましい例示的な実施形態が、同様の名称は同様の要素を指す添付の図面とともに以下に説明される。
【図面の簡単な説明】
【００１０】
【図１】バッキングプレートに取付けられて車両用ディスクブレーキパッドを形成し得る、本開示の実施形態に係る複雑なエッジプロファイルを有する摩擦パッドを示す図である。
【図２】バッキングプレートに取付けられて車両用ディスクブレーキパッドを形成し得る、本開示の実施形態に係る複雑なエッジプロファイルを有する摩擦パッドを示す図である。
【図３】バッキングプレートに取付けられて車両用ディスクブレーキパッドを形成し得る、本開示の実施形態に係る複雑なエッジプロファイルを有する摩擦パッドを示す図である。
【図４Ａ】バッキングプレートに取付けられて車両用ディスクブレーキパッドを形成し得る、本開示の実施形態に係る複雑なエッジプロファイルを有する摩擦パッドを示す図である。
【図４Ｂ】バッキングプレートに取付けられて車両用ディスクブレーキパッドを形成し得る、本開示の実施形態に係る複雑なエッジプロファイルを有する摩擦パッドを示す図である。
【図４Ｃ】バッキングプレートに取付けられて車両用ディスクブレーキパッドを形成し得る、本開示の実施形態に係る複雑なエッジプロファイルを有する摩擦パッドを示す図である。
【図５】バッキングプレートに取付けられて車両用ディスクブレーキパッドを形成し得る、本開示の実施形態に係る複雑なエッジプロファイルを有する摩擦パッドを示す図である。
【図６】バッキングプレートに取付けられて車両用ディスクブレーキパッドを形成し得る、本開示の実施形態に係る複雑なエッジプロファイルを有する摩擦パッドを示す図である。
【図７】バッキングプレートに取付けられて車両用ディスクブレーキパッドを形成し得る、本開示の実施形態に係る複雑なエッジプロファイルを有する摩擦パッドを示す図である。
【図８】バッキングプレートに取付けられて車両用ディスクブレーキパッドを形成し得る、本開示の実施形態に係る複雑なエッジプロファイルを有する摩擦パッドを示す図である。
【図９】バッキングプレートに取付けられて車両用ディスクブレーキパッドを形成し得る、本開示の実施形態に係る複雑なエッジプロファイルを有する摩擦パッドを示す図である。
【図１０】非伸長形状を有し、複雑なエッジプロファイルを含む摩擦パッドの実施形態を示す図である。
【図１１】非伸長形状を有し、複雑なエッジプロファイルを含む摩擦パッドの実施形態を示す図である。
【図１２】非伸長形状を有し、複雑なエッジプロファイルを含む摩擦パッドの実施形態を示す図である。
【図１３】非伸長形状を有し、複雑なエッジプロファイルを含む摩擦パッドの実施形態を示す図である。
【図１４】非伸長形状を有し、複雑なエッジプロファイルを含む摩擦パッドの実施形態を示す図である。
【図１５】非伸長形状を有し、複雑なエッジプロファイルを含む摩擦パッドの実施形態を示す図である。
【図１６】半伸長形状を有し、複雑なエッジプロファイルを含む摩擦パッドの実施形態を示す図である。
【図１７】半伸長形状を有し、複雑なエッジプロファイルを含む摩擦パッドの実施形態を示す図である。
【図１８】半伸長形状を有し、複雑なエッジプロファイルを含む摩擦パッドの実施形態を示す図である。
【図１９】半伸長形状を有し、複雑なエッジプロファイルを含む摩擦パッドの実施形態を示す図である。
【図２０】半伸長形状を有し、複雑なエッジプロファイルを含む摩擦パッドの実施形態を示す図である。
【図２１】半伸長形状を有し、複雑なエッジプロファイルを含む摩擦パッドの実施形態を示す図である。
【図２２Ａ】半伸長形状を有し、複雑なエッジプロファイルを含む摩擦パッドの実施形態を示す図である。
【図２２Ｂ】半伸長形状を有し、複雑なエッジプロファイルを含む摩擦パッドの実施形態を示す図である。
【図２２Ｃ】半伸長形状を有し、複雑なエッジプロファイルを含む摩擦パッドの実施形態を示す図である。
【図２３】半伸長形状を有し、複雑なエッジプロファイルを含む摩擦パッドの実施形態を示す図である。
【図２４】半伸長形状を有し、複雑なエッジプロファイルを含む摩擦パッドの実施形態を示す図である。
【図２５】半伸長形状を有し、複雑なエッジプロファイルを含む摩擦パッドの実施形態を示す図である。
【図２６】半伸長形状を有し、複雑なエッジプロファイルを含む摩擦パッドの実施形態を示す図である。
【図２７】半伸長形状を有し、複雑なエッジプロファイルを含む摩擦パッドの実施形態を示す図である。
【図２８】半伸長形状を有し、複雑なエッジプロファイルを含む摩擦パッドの実施形態を示す図である。
【図２９】半伸長形状を有し、複雑なエッジプロファイルを含む摩擦パッドの実施形態を示す図である。
【図３０】半伸長形状を有し、複雑なエッジプロファイルを含む摩擦パッドの実施形態を示す図である。
【図３１】半伸長形状を有し、複雑なエッジプロファイルを含む摩擦パッドの実施形態を示す図である。
【図３２】半伸長形状を有し、複雑なエッジプロファイルを含む摩擦パッドの実施形態を示す図である。
【図３３】半伸長形状を有し、複雑なエッジプロファイルを含む摩擦パッドの実施形態を示す図である。
【図３４】半伸長形状を有し、複雑なエッジプロファイルを含む摩擦パッドの実施形態を示す図である。
【図３５】半伸長形状を有し、複雑なエッジプロファイルを含む摩擦パッドの実施形態を示す図である。
【図３６】半伸長形状を有し、複雑なエッジプロファイルを含む摩擦パッドの実施形態を示す図である。
【図３７】半伸長形状を有し、複雑なエッジプロファイルを含む摩擦パッドの実施形態を示す図である。
【図３８】半伸長形状を有し、複雑なエッジプロファイルを含む摩擦パッドの実施形態を示す図である。
【図３９】半伸長形状を有し、複雑なエッジプロファイルを含む摩擦パッドの実施形態を示す図である。
【図４０】半伸長形状を有し、複雑なエッジプロファイルを含む摩擦パッドの実施形態を示す図である。
【図４１】半伸長形状を有し、複雑なエッジプロファイルを含む摩擦パッドの実施形態を示す図である。
【図４２】半伸長形状を有し、複雑なエッジプロファイルを含む摩擦パッドの実施形態を示す図である。
【図４３】半伸長形状を有し、複雑なエッジプロファイルを含む摩擦パッドの実施形態を示す図である。
【図４４】伸長形状を有し、複雑なエッジプロファイルを含む摩擦パッドの実施形態を示す図である。
【図４５】伸長形状を有し、複雑なエッジプロファイルを含む摩擦パッドの実施形態を示す図である。
【図４６】伸長形状を有し、複雑なエッジプロファイルを含む摩擦パッドの実施形態を示す図である。
【図４７】伸長形状を有し、複雑なエッジプロファイルを含む摩擦パッドの実施形態を示す図である。
【図４８】伸長形状を有し、複雑なエッジプロファイルを含む摩擦パッドの実施形態を示す図である。
【図４９】伸長形状を有し、複雑なエッジプロファイルを含む摩擦パッドの実施形態を示す図である。
【図５０】伸長形状を有し、複雑なエッジプロファイルを含む摩擦パッドの実施形態を示す図である。
【図５１】さまざまな市販の先行技術の摩擦パッドと比較した本開示の摩擦パッドの性能向上、または場合によっては、少なくとも匹敵する性能を実証する、シミュレーション試験結果を示す図である。
【図５２】さまざまな市販の先行技術の摩擦パッドと比較した本開示の摩擦パッドの性能向上、または場合によっては、少なくとも匹敵する性能を実証する、シミュレーション試験結果を示す図である。
【図５３】さまざまな市販の先行技術の摩擦パッドと比較した本開示の摩擦パッドの性能向上、または場合によっては、少なくとも匹敵する性能を実証する、実際の試験結果を示す図である。
【図５４】さまざまな市販の先行技術の摩擦パッドと比較した本開示の摩擦パッドの性能向上、または場合によっては、少なくとも匹敵する性能を実証する、実際の試験結果を示す図である。
【図５５】さまざまな市販の先行技術の摩擦パッドと比較した本開示の摩擦パッドの性能向上、または場合によっては、少なくとも匹敵する性能を実証する、実際の試験結果を示す図である。
【図５６Ａ】さまざまな市販の先行技術の摩擦パッドと比較した本開示の摩擦パッドの性能向上、または場合によっては、少なくとも匹敵する性能を実証する、実際の試験結果を示す図である。
【図５６Ｂ】さまざまな市販の先行技術の摩擦パッドと比較した本開示の摩擦パッドの性能向上、または場合によっては、少なくとも匹敵する性能を実証する、実際の試験結果を示す図である。
【図５６Ｃ】さまざまな市販の先行技術の摩擦パッドと比較した本開示の摩擦パッドの性能向上、または場合によっては、少なくとも匹敵する性能を実証する、実際の試験結果を示す図である。
【図５７Ａ】さまざまな市販の先行技術の摩擦パッドと比較した本開示の摩擦パッドの性能向上、または場合によっては、少なくとも匹敵する性能を実証する、実際の試験結果を示す図である。
【図５７Ｂ】さまざまな市販の先行技術の摩擦パッドと比較した本開示の摩擦パッドの性能向上、または場合によっては、少なくとも匹敵する性能を実証する、実際の試験結果を示す図である。
【図５７Ｃ】さまざまな市販の先行技術の摩擦パッドと比較した本開示の摩擦パッドの性能向上、または場合によっては、少なくとも匹敵する性能を実証する、実際の試験結果を示す図である。
【図５８Ａ】さまざまな市販の先行技術の摩擦パッドと比較した本開示の摩擦パッドの性能向上、または場合によっては、少なくとも匹敵する性能を実証する、実際の試験結果を示す図である。
【図５８Ｂ】さまざまな市販の先行技術の摩擦パッドと比較した本開示の摩擦パッドの性能向上、または場合によっては、少なくとも匹敵する性能を実証する、実際の試験結果を示す図である。
【図５８Ｃ】さまざまな市販の先行技術の摩擦パッドと比較した本開示の摩擦パッドの性能向上、または場合によっては、少なくとも匹敵する性能を実証する、実際の試験結果を示す図である。
【図５９Ａ】さまざまな市販の先行技術の摩擦パッドと比較した本開示の摩擦パッドの性能向上、または場合によっては、少なくとも匹敵する性能を実証する、実際の試験結果を示す図である。
【図５９Ｂ】さまざまな市販の先行技術の摩擦パッドと比較した本開示の摩擦パッドの性能向上、または場合によっては、少なくとも匹敵する性能を実証する、実際の試験結果を示す図である。
【図５９Ｃ】さまざまな市販の先行技術の摩擦パッドと比較した本開示の摩擦パッドの性能向上、または場合によっては、少なくとも匹敵する性能を実証する、実際の試験結果を示す図である。
【図６０Ａ】さまざまな市販の先行技術の摩擦パッドと比較した本開示の摩擦パッドの性能向上、または場合によっては、少なくとも匹敵する性能を実証する、実際の試験結果を示す図である。
【図６０Ｂ】さまざまな市販の先行技術の摩擦パッドと比較した本開示の摩擦パッドの性能向上、または場合によっては、少なくとも匹敵する性能を実証する、実際の試験結果を示す図である。
【図６０Ｃ】さまざまな市販の先行技術の摩擦パッドと比較した本開示の摩擦パッドの性能向上、または場合によっては、少なくとも匹敵する性能を実証する、実際の試験結果を示す図である。
【発明を実施するための形態】
【００１１】
図示される実施形態の詳細な説明
本明細書に開示される摩擦パッド実施形態は、さまざまなディスクブレーキパッド設計に、かつさまざまな車両用途に用いられて、ブレーキパッドの停止力および摩耗性能を向上させるのに役立ち得る。開示される摩擦パッドは、いくつか例を挙げると、トラック、クロスオーバービークル、およびスポーツユーティリティビークルを含むがこれらに限定されない重量車両により好適であり得る。摩擦パッドのサイズおよび形状は、ブレーキ音の減少、停止距離の減少、ロータ摩耗およびローホイールダストの減少、最適なＮＶＨ（騒音、振動、およびハーシュネス）性能、ならびにペダル応答の改善およびより一貫した全体的なパッド性能に対応する、より低い、かつより一貫した圧縮を含む、さまざまな利点を付与するように修正され得る。加えて、ここに開示される摩擦パッドは、たとえばブレーキパッドの熱管理を改善することによって、ブレーキパッドの耐用年数を延ばすのに役立ち得る。より具体的には、冷却効率の改善によって、重負荷条件においてブレーキパッドの寿命を先行技術のブレーキパッドと比較して２倍にできることが示されている。
【００１２】
図１〜図３を概して参照して、ディスクブレーキパッド１０が示されている。ブレーキパッド１０はバッキングプレート２０および摩擦パッド４０を含む。バッキングプレート２０は前面２２および周囲２４を含む。摩擦パッド４０はバッキングプレート２０の前面２２に取付けられ、バッキングプレート２０と反対側を向く摩擦面４２と、周側壁４４と、上、下、ならびに右および左の周側縁部４８，５０，５２，５４を含む周縁部４６とを含む。摩擦パッド４０の少なくとも中央領域において、摩擦面４２は平面であり、周縁部４６は面４２と同一平面内に存在する。摩擦面４２と同一平面内にあり、したがってブレーキ時に押されてブレーキロータと接触する周縁部４６の部分または長さは、摩擦パッド４０の接触縁部と称され得る。
【００１３】
摩擦パッド４０の周縁部４６は、少なくとも１つの複雑なエッジプロファイル５５を含む。複雑なエッジプロファイル５５は、概して平面の摩擦面を維持しつつ、周側壁４４の増加した表面積を提供する。同様に、エッジプロファイルは、先行の設計と比較して、接触縁部４６の増加した周長を提供する。複雑なエッジプロファイル５５は、起伏のある、扇形の、または波状の経路に従い得、パッド４０の周側縁部４８，５０，５２，５４のいずれかもしくはすべてに、またはこれらの側縁部４８，５０，５２，５４のいずれかの一部のみに組込まれ得る。
【００１４】
ある実施形態に従うと、複雑なエッジプロファイル５５は１つ以上の起伏を含み、各起伏は１つの波の山５７および１つの波の谷５９を含む。山５７および谷５９は、それぞれ、バッキングプレート２０の周囲２４に向かって、かつ周囲２４から離れるように、摩擦面４２の平面内に概して延在し、逆に、それぞれ、摩擦面４２の幾何学的中心または他の中心領域から離れるように、かつ当該領域に向かって、概して延在する。図１〜図３に示される実施形態は、それらの複雑なエッジプロファイル内に複数の起伏を含んでいるが、明確にするために１つの起伏（たとえば１つの波の山５７および１つの波の谷５９）のみが示されている。周縁部４６の波の山および波の谷の振幅または高さは、互いに同じでもよいし、異なっていてもよい。また、摩擦パッド４０の周縁部４６に沿った波の山および／または谷の頻度は実施形態同士の間で異なっていてもよく、より特定的には、以下により詳細に説明されるように、パッド４０の上、下、左および右の周側縁部４８，５０，５２，５４同士の間で異なっていてもよい。いくつかの実施形態では、摩擦パッド４０の周縁部４６に沿った複雑なエッジプロファイル５５は、全体的にまたは数学的に正弦波状であってもよい。他の実施形態では、複雑なエッジプロファイル５５は不規則な形状を組込んでもよい。さらに、摩擦パッド４０の周縁部４６は１つ以上の概して直線の部分を含んでもよく、当該部分が起伏自体を形成してもよいし、または周縁部４６の１つ以上の複雑なエッジプロファイル５５同士の間の接続を形成してもよい。
【００１５】
図４Ａ〜図４Ｃは、共通の複雑なエッジプロファイル５５を有するが、摩擦パッドの冷却および／またはダスト除去を容易にするように含まれ得るさまざまな溝構成を有する摩擦パッド４０を示す。１つ以上のスロットまたは溝５６が摩擦パッド４０に形成されてもよく、パッド４０の摩擦面４２からパッドの内部に延在してもよい。溝５６は、摩擦パッド４０の一方側から他方側に、パッド４０を横切って延在してもよい。たとえば、溝はパッド４０の上周縁部４８からパッドの下周縁部５０に延在して複数の摩擦面４２を形成してもよく、溝は概して直線の、曲線の、Ｓ字状の、または他の経路に従ってもよい。溝５６は実質的に垂直方向に延在してもよいし、またはそれらは垂直軸に対して傾斜角でパッド４０を横切って延在してもよい。図４Ａ〜図４Ｃに示されるような好ましい実施形態では、溝は複雑なエッジプロファイル５５の波の谷５９で開始する、および／または終了する。
【００１６】
溝５６は、摩擦パッド４０内の内壁面５８および内縁部６０を規定してもよい。内縁部６０は、摩擦パッド４０の摩擦面４２と同一平面内に位置してもよく、ゆえにブレーキ時にブレーキロータと接触してもよい。したがって、摩擦パッド４０の溝５６は、摩擦パッド４０の全体的な縁部接触長さを増加させ得る。ある特定の実施形態では、溝の幅は０．１８インチであり、バッキングプレートに向かって摩擦パッドの表面内に延在する深さは０．２インチである。溝５６は、部分的にまたは完全に形成された摩擦パッド４０が所望の経路に沿ってルーティングされるかまたはそうでなければ溝を付けられる二次的動作において成形されてもよいし、または形成されてもよい。溝５６のＣＮＣルーティングは１つのそのような方法である。曲線溝５６は、単純な正弦波状のもしくは多項式、曲線適合、もしくは他の数式によって定義されるより複雑な曲線などの数学的に定義された曲線経路、または数値的に特定された経路に従ってもよい。
【００１７】
図５および図６を特に参照して、摩擦パッド４０の摩擦面４２は、平坦面または曲面であり得る１つ以上の面取り面６２をさらに含んでもよい。面取り面６２は、摩擦パッド４０の摩擦面４２からバッキングプレート２０に向かって延在してもよい。たとえば、面取り面６２は、摩擦パッド４０の主要な摩擦面４２からパッド４０の周縁部４６に向かって、またはパッド４０の内部に向かって延在してもよい。したがって、面取り面６２は、摩擦パッド４０の摩擦面４２において１つ以上の付加的な接触縁部６４を形成してもよい。図５および図６は、バッキングプレート２０の周囲２４におけるノッチ６６をさらに示す。当該ノッチは、複雑なエッジプロファイルの特徴と一致していてもよい（すなわち、ノッチおよびプロファイル特徴は概して、それらの各自の周囲における同一点に沿って位置している）。たとえば、図５に示されるように、ノッチ６６は、パッド４０の上縁部４８の複雑なエッジプロファイル５５における波の山５７と一致している。しかし、図６では、ノッチ６６は、上縁部４８の複雑なエッジプロファイル５５における波の谷５９と一致している。ノッチ６６は、示されるように、角度が付けられた形状であってもよいし、またはより弓形の外見を有してもよい。バッキングプレート特徴の他の組合せおよびそれぞれの配置ももちろん可能である。
【００１８】
少なくともいくつかの実施形態では、概して図１〜図９に示されるように、摩擦パッド４０は、（１）摩擦パッド４０の周縁部４６のすべてまたは一部に沿った複雑なエッジプロファイル５５、および（２）２つ以上の摩擦面４２を規定する少なくとも１つの曲線溝、の組合せを利用する。起伏のある周縁部４６および／または曲線溝と組合せて、直線溝が用いられてもよい。また、少なくともいくつかの実施形態では、バッキングプレート２０は周囲２４を有し、摩擦パッド４０の周縁部４６は複数の起伏を、より特定的には、バッキングプレート２０の周囲２４に隣接して走る波の山および谷を含む。さらに、少なくとも他の実施形態では、摩擦面４２は面取り面６２の１つ以上を含み、摩擦パッド４０の周縁部４６は、他の上述の特徴のいずれかと組合せて使用可能な面取り面６２における複雑なエッジプロファイル５５を有する。
【００１９】
図１０〜図５０は、複雑なエッジプロファイル、ならびに異なるエッジプロファイルがブレーキパッドの全体サイズに少なくとも部分的に基づいて分類および／または規定され得る方法の例を提供する。開示される実施形態の利点は、複雑なエッジプロファイルが、たとえば、摩擦パッド４０の周縁部４６の複雑なエッジプロファイル５５における起伏、および／または溝５６の曲線形状のために、摩擦パッド４０の増加した縁部接触長さ、および周側壁４４の増加した表面積を提供し得ることである。これによってブレーキ性能を向上させることができる。ブレーキ時の摩擦パッド４０の熱管理も改善され得、これは複雑なエッジプロファイルおよび溝によって生成される乱気流パターンの結果であり得る。さらに、摩擦パッド４０の複雑なエッジプロファイル５５は、摩擦パッド４０の周縁部に沿った摩擦パッド材料と成形面との接触量の増加の結果として、製造時に摩擦パッド４０のより完全で均一な硬化を提供することによって、生産を向上させ得る。
【００２０】
要約すると、図１０〜図５０の複雑なエッジプロファイルは、摩擦面４２の面積（面取り領域６２を含み得る）、周側壁４４の面積、パッド形状のコンパクト性、ならびにパッド４０の全体サイズおよび形状に基づいて分類および／または規定され得る。異なるブレーキパッド実施形態の全体サイズおよび形状は、複雑なエッジプロファイルにおける起伏の数およびサイズが周側壁４４の面積および周縁部４６の長さを増加させる程度に影響を及ぼすことができ、したがって、以下により詳細に記載されるように、図１０〜図５０に示される例示的な摩擦パッドは、非伸長パッド（図１０〜図１５）、半伸長パッド（図１６〜図４３）、および伸長パッド（図４４〜図５０）に分けられる。図はすべてが一定縮尺であるとは限らず、したがって、当業者がさまざまな寸法関係の範囲を認識および確認することができるように例示的な測定が提供される。
【００２１】
複雑なエッジプロファイルを分類および／または規定するために用いられ得る１つのメトリックは、コンパクト性である。コンパクト性は、摩擦面４２の面積（面取り領域６２および任意の潜在的に示される溝領域を含む）と周縁部４６の長さとの関係として規定される。コンパクト性は、スケールが不変の特徴である。構成要素の外周は、面積が二次的に増加する間にスケールの増加とともに直線的に増加するため、コンパクト性は、以下に示されるように、外周の２乗に対する面積の比として与えられる。
【００２２】
【数１】
0006626006.tif 000002
【００２３】
コンパクト性は形状の真円度に密接に関連しており、４π倍で正比例している。したがって、極端な例では、コンパクト性が低く、したがって真円度が低い構成要素は、典型的に、かなり広い空間領域にわたって広がる細長いテンドリル（tendrils）を有する。ゆえに、より起伏のある複雑なエッジプロファイルは低いコンパクト性をもたらす一方で、起伏のないエッジプロファイルを有する同一の摩擦パッドはコンパクト性が高くなる。
【００２４】
摩擦パッドの全体サイズはコンパクト性に影響を及ぼす（すなわち、より伸長したパッドはより矩形状のパッドよりもコンパクト性が低くなることが多い）ため、図１０〜図５０に示される例示的なパッドは、非伸長摩擦パッド（図１０〜図１５）、半伸長摩擦パッド（図１６〜図４３）、および伸長摩擦パッド（図４４〜図５０）に分けられる。図面に示されて以下に詳細に説明されるように、非伸長摩擦パッドの長さ対高さ比（ｌ：ｈ）は２：１またはそれ以下であり、典型的に１：１以上である。半伸長摩擦パッドの長さ対高さ比（ｌ：ｈ）は２：１よりも大きく３：１よりも小さい。伸長摩擦パッドの長さ対高さ比（ｌ：ｈ）は３：１またはそれ以上であり、典型的に５：１以下である。長さ対高さ比（ｌ：ｈ）を求めるために、長さｌは摩擦パッドの長さに沿って最長点で測定され得、高さｈは摩擦パッドの最高点または最大幅点で測定され得る。図１０〜図５０は概して、最小から最大の長さ対高さ比（ｌ：ｈ）の順にランク付けされている。伸長の量はコンパクト性に影響し得るが、周側壁面積に対する摩擦表面積の比、または複雑なエッジプロファイルにおける起伏の数などの一定の要因は、摩擦パッドの全体形状の伸長の量の影響を受け得ないことを理解すべきである。
【００２５】
コンパクト性に加えて、摩擦パッドは、周側壁面積４４に対する摩擦表面積４２（任意の面取り領域６２および任意の潜在的に示される溝領域を含む）の比によっても分類および／または規定され得る。最後に、複雑なエッジプロファイル自体が、周縁部４６の長さに沿って含まれる起伏の数によってグループ分けされ得、各起伏は波の山５７および波の谷５９を含む。摩擦パッドのサイズおよび／または形状パラメータを以下に説明される具体例に概して一致するように調整することによって、複雑なエッジプロファイルは、熱管理および耐摩耗性の改善などの上述の利点を付与することができる。しかし、複雑なエッジプロファイルならびに／または溝の種類および数は、開示される利点を依然としてもたらしつつ、示される実施形態とは異なることができ、特定のブレーキパッド用途およびブレーキシステムの要件に依存してカスタマイズされてもよいことを理解すべきである。さらに、本明細書に提供される正確な測定値は例として意図されているに過ぎない。最後に、明確にするために図１０〜図５０から一定の参照番号が省略されているが、当業者は図１〜図９に関連して提供された開示に基づいて同様の特徴を認識するであろう。
【００２６】
図１０〜図１５は非伸長摩擦パッドを示しており、当該パッドの長さ対高さ比（ｌ：ｈ）は２：１またはそれ以下であり、典型的に１：１以上である。図１０は、長さが２．６３インチで高さが１．５６４インチであり、ゆえに対応の長さ対高さ比（ｌ：ｈ）が１．６８：１であり得る摩擦パッド４０を示す。摩擦面４２の面積は３．３８５平方インチであり得、周縁部４６の長さは７．９０２インチであり得、対応のコンパクト性は０．０５４２である。図１０に示される摩擦パッド４０の複雑な縁部領域５５は、上周縁部４８に２．５個の起伏、および下縁部５０に１．５個の起伏を含み、その周長４６に沿って合計４個の起伏を含む。直線周縁部５２，５４が２つの複雑な縁部領域５５同士を接続する。図示されていないが、本実施形態における周側壁の面積は１．７４７平方インチであり得、これによって周側壁表面積に対する摩擦表面積の比は１．９４：１となる。
【００２７】
図１１は、長さが４．１９３インチで高さが２．３１７インチであり、ゆえに対応の長さ対高さ比（ｌ：ｈ）が１．８１：１であり得る摩擦パッド４０を示す。摩擦面４２の面積は７．７７４平方インチであり得、周縁部４６の長さは１１．８７７インチであり得、対応のコンパクト性は０．０５５１である。図１１に示される摩擦パッド４０の複雑な縁部領域５５は、上周縁部４８に１．５個の起伏、下縁部５０に１．５個の起伏、および各側縁部５２，５４に２．５個の起伏を含み、その周長４６に沿って合計８個の起伏を含む。側縁部５２における起伏は、他方の側縁部５４における起伏を鏡映している。本実施形態における周側壁４４の面積は３．１２０平方インチであり得、これによって周側壁表面積に対する摩擦表面積の比は２．４９：１となる。
【００２８】
図１２は、長さが３．１７９インチで高さが約１．６７２インチであり、ゆえに対応の長さ対高さ比（ｌ：ｈ）が１．９０：１であり得る摩擦パッド４０を示す。摩擦面４２の面積は３．８６４平方インチであり得、周縁部４６の長さは８．７０３インチであり得、対応のコンパクト性は０．０５１０である。図１２に示される摩擦パッド４０の複雑な縁部領域５５は、上周縁部４８に２．５個の起伏、下縁部５０に４．５個の起伏、および各側縁部５２，５４に２個の起伏を含み、その周長４６に沿って合計１１個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０６０７）。図示されていないが、本実施形態における周側壁の面積は２．６０６平方インチであり得、これによって周側壁表面積に対する摩擦表面積の比は１．４８：１となる。
【００２９】
図１３は、長さが３．３６３インチで高さが約１．７６７インチであり、ゆえに対応の長さ対高さ比（ｌ：ｈ）が１．９０：１であり得る摩擦パッド４０を示す。摩擦面４２の面積は４．７８５平方インチであり得、周縁部４６の長さは９．０９９インチであり得、対応のコンパクト性は０．０５７８である。同一の長さ対高さ比を有する図１２と比較すると、コンパクト性は図１３の実施形態の方が大きい。この原因は、図１２の実施形態の方が起伏が多いことである可能性が最も高い。図１３に示される摩擦パッド４０の複雑な縁部領域５５は、上周縁部４８に１．５個の起伏、下縁部５０に１．５個の起伏、および各側縁部５２，５４に２個の起伏を含み、その周長４６に沿って合計７個の起伏を含む。側縁部５２における起伏は、他方の側縁部５４における起伏を鏡映している。図示されていないが、本実施形態における周側壁の面積は３．０６４平方インチであり得、これによって周側壁表面積に対する摩擦表面積の比は１．５６：１となる。
【００３０】
図１４は、長さが３．０５４インチで高さが約１．５９３インチであり、ゆえに対応の長さ対高さ比（ｌ：ｈ）が１．９２：１であり得る摩擦パッド４０を示す。摩擦面４２の面積は３．４９０平方インチであり得、周縁部４６の長さは８．５３９インチであり得、対応のコンパクト性は０．０４７９である。図１４に示される摩擦パッド４０の複雑な縁部領域５５は、上周縁部４８に２．５個の起伏、下縁部５０に２．５個の起伏、および各側縁部５２，５４に１．５個の起伏を含み、その周長４６に沿って合計８個の起伏を含む。側縁部５２における起伏は、他方の側縁部５４における起伏を鏡映している。バッキングプレート２０は、上周縁部４８における起伏の波の谷５９と位置が対応するノッチ５５をさらに含む。図示されていないが、本実施形態における周側壁の面積は２．６４１平方インチであり得、これによって周側壁表面積に対する摩擦表面積の比は１．３２：１となる。
【００３１】
図１５は、長さが３．２１０インチで高さが約１．６０６インチであり、ゆえに対応の長さ対高さ比（ｌ：ｈ）が１．９９８７：１であり得る摩擦パッド４０を示す。摩擦面４２の面積は３．９８８平方インチであり得、周縁部４６の長さは８．６７９インチであり得、対応のコンパクト性は０．０５２９である。図１５に示される摩擦パッド４０の複雑な縁部領域５５は、上周縁部４８に３．５個の起伏、下縁部５０に１．５個の起伏、および各側縁部５２，５４に１．５個の起伏を含み、その周長４６に沿って合計８個の起伏を含む。側縁部５２における起伏は、他方の側縁部５４における起伏を鏡映している。図示されていないが、本実施形態における周側壁の面積は２．４４４平方インチであり得、これによって周側壁表面積に対する摩擦表面積の比は１．６３：１となる。図１０〜図１５に示される非伸長パッドについては、コンパクト性は０．０４７９（を含む）から０．０５７８（を含む）の範囲である。別の実施形態では、非伸長摩擦パッドのコンパクト性は０．０４７９（を含む）から０．０５５１（を含む）の範囲にあり得る。さらに別の実施形態では、非伸長摩擦パッドのコンパクト性は０．０５１０（を含む）から０．０５２９（を含む）の範囲にあり得る。
【００３２】
図１６〜図４３は、長さ対高さ比（ｌ：ｈ）が２：１またはそれ以上であり、３：１よりも小さい半伸長摩擦パッドを示す。図１６は、長さが３．５５０インチで高さが１．７６７インチであり、ゆえに対応の長さ対高さ比（ｌ：ｈ）が２．０１：１であり得る摩擦パッド４０を示す。摩擦面４２の面積は５．０３４平方インチであり得、周縁部４６の長さは９．６８４インチであり得、対応のコンパクト性は０．０５３７である。図１６に示される摩擦パッド４０の複雑な縁部領域５５は、上周縁部４８に２．５個の起伏、下縁部５０に３個の起伏、および各側縁部５２，５４に２個の起伏を含み、その周長４６に沿って合計９．５個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０６２８）。図示されていないが、本実施形態における周側壁の面積は２．９７４平方インチであり得、これによって周側壁表面積に対する摩擦表面積の比は１．６９３：１となる。
【００３３】
図１７は、長さが４．２４２インチで高さが２．０４８インチであり、ゆえに対応の長さ対高さ比（ｌ：ｈ）が２．０７：１であり得る摩擦パッド４０を示す。摩擦面４２の面積は７．１０８平方インチであり得、周縁部４６の長さは１１．２８３インチであり得、対応のコンパクト性は０．０５５８である。図１７に示される摩擦パッド４０の複雑な縁部領域５５は、上周縁部４８に２．５個の起伏、下縁部５０に２．５個の起伏、および各側縁部５２，５４に１．５個の起伏を含み、その周長４６に沿って合計８個の起伏を含む。側縁部５２における起伏は、他方の側縁部５４における起伏を鏡映している。図示されていないが、本実施形態における周側壁の面積は３．７１１平方インチであり得、これによって周側壁表面積に対する摩擦表面積の比は１．９２：１となる。
【００３４】
図１８は、長さが４．１００インチで高さが１．９１９インチであり、ゆえに対応の長さ対高さ比（ｌ：ｈ）が２．１４：１であり得る摩擦パッド４０を示す。摩擦面４２の面積は６．２６３平方インチであり得、周縁部４６の長さは１１．１４０インチであり得、対応のコンパクト性は０．０５０５である。図１８に示される摩擦パッド４０の複雑な縁部領域５５は、上周縁部４８に２．５個の起伏、下縁部５０に２．５個の起伏、および各側縁部５２，５４に２個の起伏を含み、その周長４６に沿って合計９個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０６１８）。図示されていないが、本実施形態における周側壁の面積は３．４７１平方インチであり得、これによって周側壁表面積に対する摩擦表面積の比は１．８：１となる。
【００３５】
図１９は、長さが３．３７０インチで高さが１．５５６インチであり、ゆえに対応の長さ対高さ比（ｌ：ｈ）が２．１７：１であり得る摩擦パッド４０を示す。摩擦面４２の面積は３．９５２平方インチであり得、周縁部４６の長さは９．５１７インチであり得、対応のコンパクト性は０．０４３６である。図１９に示される摩擦パッド４０の複雑な縁部領域５５は、上周縁部４８に１．５個の起伏、下縁部５０に２．５個の起伏、および各側縁部５２，５４に１．５個の起伏を含み、その周長４６に沿って合計７個の起伏を含む。側縁部５２における起伏は、他方の側縁部５４における起伏を鏡映している。図示されていないが、本実施形態における周側壁の面積は２．９０７平方インチであり得、これによって周側壁表面積に対する摩擦表面積の比は１．３６：１となる。
【００３６】
図２０は、長さが４．６０５インチで高さが２．０８１インチであり、ゆえに対応の長さ対高さ比（ｌ：ｈ）が２．２１：１であり得る摩擦パッド４０を示す。摩擦面４２の面積は６．９３３平方インチであり得、周縁部４６の長さは１１．８２９インチであり得、対応のコンパクト性は０．０４９５である。図２０に示される摩擦パッド４０の複雑な縁部領域５５は、上周縁部４８に２．５個の起伏、下縁部５０に２．５個の起伏、および各側縁部５２，５４に１．５個の起伏を含み、その周長４６に沿って合計８個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０５８５）。周側壁４４の面積は３．９１５平方インチであり得、これによって周側壁表面積に対する摩擦表面積の比は２．０１：１となる。
【００３７】
図２１は、長さが４．６７５インチで高さが２．１０２インチであり、ゆえに対応の長さ対高さ比（ｌ：ｈ）が２．２２：１であり得る摩擦パッド４０を示す。摩擦面４２の面積は７．５２７平方インチであり得、周縁部４６の長さは１１．８４６インチであり得、対応のコンパクト性は０．０５３６である。図２１に示される摩擦パッド４０の複雑な縁部領域５５は、上周縁部４８に２．５個の起伏、下縁部５０に４．５個の起伏、および各側縁部５２，５４に１個の起伏を含み、その周長４６に沿って合計８個の起伏を含む。同一のパッドを複雑な縁部領域なしで、かつ起伏縁部を有さずに設計すると、コンパクト性はそれに応じてはるかに高かった（０．０６０７）。図示されていないが、本実施形態における周側壁の面積は４．１６１平方インチであり得、これによって周側壁表面積に対する摩擦表面積の比は１．８１：１となる。
【００３８】
図２２Ａ〜図２２Ｃは、長さが４．４７７インチで高さが１．９１３インチであり、ゆえに対応の長さ対高さ比（ｌ：ｈ）が２．３４：１であり得る摩擦パッド４０を示す。摩擦パッド４０は、それぞれの実施形態において異なるスロット構成を有しつつ、図２２Ａ〜図２２Ｃの各々において同一の複雑な縁部を有する。摩擦面４２の面積は６．８６１平方インチであり得、周縁部４６の長さは１２．０３２インチであり得、対応のコンパクト性は０．０４７４である。図２２Ａ〜図２２Ｃに示される摩擦パッド４０の複雑な縁部領域５５は、上周縁部４８に２．５個の起伏、下縁部５０に１．５個の起伏、および各側縁部５２，５４に１個の起伏を含み、その周長４６に沿って合計６個の起伏を含む。側縁部５２における起伏は、他方の側縁部５４における起伏を鏡映している。周側壁４４の面積は４．４７１平方インチであり得、これによって周側壁表面積に対する摩擦表面積の比は１．５３：１となる。
【００３９】
図２３は、長さが５．１８９インチで高さが２．２０４インチであり、ゆえに対応の長さ対高さ比（ｌ：ｈ）が２．３５：１であり得る摩擦パッド４０を示す。摩擦面４２の面積は８．９８２平方インチであり得、周縁部４６の長さは１３．５９９インチであり得、対応のコンパクト性は０．０４８６である。図２３に示される摩擦パッド４０の複雑な縁部領域５５は、上周縁部４８に２．５個の起伏、下縁部５０に２．５個の起伏、および各側縁部５２，５４に１．５個の起伏を含み、その周長４６に沿って合計８個の起伏を含む。側縁部５２における起伏は、他方の側縁部５４における起伏を鏡映している。周側壁４４の面積は４．０１５平方インチであり得、これによって周側壁表面積に対する摩擦表面積の比は２．２４：１となる。
【００４０】
図２４は、長さが５．４６３インチで高さが２．２９７インチであり、ゆえに対応の長さ対高さ比（ｌ：ｈ）が２．３８：１であり得る摩擦パッド４０を示す。摩擦面４２の面積は８．８２６平方インチであり得、周縁部４６の長さは１３．６９９インチであり得、対応のコンパクト性は０．０４７０である。図２４に示される摩擦パッド４０の複雑な縁部領域５５は、上周縁部４８に２．５個の起伏、下縁部５０に２．５個の起伏、および各側縁部５２，５４に２分の１個の起伏を含み、その周長４６に沿って合計６個の起伏を含む。図示されていないが、本実施形態における周側壁の面積は５．０８６平方インチであり得、これによって周側壁表面積に対する摩擦表面積の比は１．７４：１となる。
【００４１】
図２５は、長さが３．６１４インチで高さが１．５１４インチであり、ゆえに対応の長さ対高さ比（ｌ：ｈ）が２．３９：１であり得る摩擦パッド４０を示す。摩擦面４２の面積は４．７３１平方インチであり得、周縁部４６の長さは９．８５６インチであり得、対応のコンパクト性は０．０４８７である。図２５に示される摩擦パッド４０の複雑な縁部領域５５は、上周縁部４８に２．５個の起伏、下縁部５０に３．５個の起伏、および各側縁部５２，５４に１個の起伏を含み、その周長４６に沿って合計８個の起伏を含む。同一のパッドを複雑な縁部領域なしで、かつ起伏縁部を有さずに設計すると、コンパクト性はそれに応じてはるかに高かった（０．０５５９）。周側壁４４の面積は２．３３２平方インチであり得、これによって周側壁表面積に対する摩擦表面積の比は２．０４：１となる。
【００４２】
図２６は、長さが３．８９０インチで高さが１．６２３インチであり、ゆえに対応の長さ対高さ比（ｌ：ｈ）が２．４：１であり得る摩擦パッド４０を示す。摩擦面４２の面積は５．０９５平方インチであり得、周縁部４６の長さは９．７７４インチであり得、対応のコンパクト性は０．０５３３である。図２６に示される摩擦パッド４０の複雑な縁部領域５５は、上周縁部４８に２．５個の起伏、下縁部５０に２．５個の起伏、および各側縁部５２，５４に１個の起伏を含み、その周長４６に沿って合計７個の起伏を含む。同一のパッドを複雑な縁部領域なしで、かつ起伏縁部を有さずに設計すると、コンパクト性はそれに応じてはるかに高かった（０．０５８６）。周側壁４４の面積は２．４８１平方インチであり得、これによって周側壁表面積に対する摩擦表面積の比は２．０５：１となる。
【００４３】
図２７は、長さが４．９１０インチで高さが２．０３８インチであり、ゆえに対応の長さ対高さ比（ｌ：ｈ）が２．４１：１であり得る摩擦パッド４０を示す。摩擦面４２の面積は７．１６６平方インチであり得、周縁部４６の長さは１２．６３６インチであり得、対応のコンパクト性は０．０４４９である。図２７に示される摩擦パッド４０の複雑な縁部領域５５は、上周縁部４８に３．５個の起伏、下縁部５０に１．５個の起伏、および各側縁部５２，５４に２個の起伏を含み、その周長４６に沿って合計９個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０５５０）。図示されていないが、本実施形態における周側壁の面積は３．７９１平方インチであり得、これによって周側壁表面積に対する摩擦表面積の比は１．８９：１となる。
【００４４】
図２８は、長さが４．８２７インチで高さが１．９５７インチであり、ゆえに対応の長さ対高さ比（ｌ：ｈ）が２．４７：１であり得る摩擦パッド４０を示す。摩擦面４２の面積は７．５０４平方インチであり得、周縁部４６の長さは１２．９４９インチであり得、対応のコンパクト性は０．０４４８である。図２８に示される摩擦パッド４０の複雑な縁部領域５５は、上周縁部４８に１．５個の起伏、下縁部５０に２．５個の起伏、および各側縁部５２，５４に１．５個の起伏を含み、その周長４６に沿って合計７個の起伏を含む。側縁部５２における起伏は、他方の側縁部５４における起伏を鏡映している。周側壁４４の面積は４．６８７平方インチであり得、これによって周側壁表面積に対する摩擦表面積の比は１．６０：１となる。
【００４５】
図２９は、長さが５．１１４インチで高さが２．０６２インチであり、ゆえに対応の長さ対高さ比（ｌ：ｈ）が２．４８：１であり得る摩擦パッド４０を示す。摩擦面４２の面積は７．８１７平方インチであり得、周縁部４６の長さは１４．０７７インチであり得、対応のコンパクト性は０．０３９４である。図２９に示される摩擦パッド４０の複雑な縁部領域５５は、上周縁部４８に２．５個の起伏、下縁部５０に１．５個の起伏、および各側縁部５２，５４に１．５個の起伏を含み、その周長４６に沿って合計７個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０５０７）。図示されていないが、本実施形態における周側壁の面積は３．４８９平方インチであり得、これによって周側壁表面積に対する摩擦表面積の比は２．２４：１となる。
【００４６】
図３０は、長さが４．６１４インチで高さが１．８４９インチであり、ゆえに対応の長さ対高さ比（ｌ：ｈ）が２．４９：１であり得る摩擦パッド４０を示す。摩擦面４２の面積は６．４９８平方インチであり得、周縁部４６の長さは１１．４８１インチであり得、対応のコンパクト性は０．０４９３である。図３０に示される摩擦パッド４０の複雑な縁部領域５５は、上周縁部４８に２．５個の起伏、下縁部５０に１．５個の起伏、および各側縁部５２，５４に１個の起伏を含み、その周長４６に沿って合計６個の起伏を含む。同一のパッドを複雑な縁部領域なしで、かつ起伏縁部を有さずに設計すると、コンパクト性はそれに応じてはるかに高かった（０．０５７８）。周側壁４４の面積は４．１４８平方インチであり得、これによって周側壁表面積に対する摩擦表面積の比は１．５７：１となる。
【００４７】
図３１は、長さが４．９１５インチで高さが１．９２４インチであり、ゆえに対応の長さ対高さ比（ｌ：ｈ）が２．５５：１であり得る摩擦パッド４０を示す。摩擦面４２の面積は６．７９６平方インチであり得、周縁部４６の長さは１２．１７９インチであり得、対応のコンパクト性は０．０４５８である。図３１に示される摩擦パッド４０の複雑な縁部領域５５は、上周縁部４８に３．５個の起伏、下縁部５０に３．５個の起伏、および各側縁部５２，５４に１個の起伏を含み、その周長４６に沿って合計９個の起伏を含む。同一のパッドを複雑な縁部領域なしで、かつ起伏縁部を有さずに設計すると、コンパクト性はそれに応じてはるかに高かった（０．０５７３）。図示されていないが、本実施形態における周側壁の面積は４．６４７平方インチであり得、これによって周側壁表面積に対する摩擦表面積の比は１．４６：１となる。
【００４８】
図３２は、長さが３．１８８インチで高さが１．２２８インチであり、ゆえに対応の長さ対高さ比（ｌ：ｈ）が２．６０：１であり得る摩擦パッド４０を示す。摩擦面４２の面積は３．１６７平方インチであり得、周縁部４６の長さは７．８０８インチであり得、対応のコンパクト性は０．０５１９である。図３２に示される摩擦パッド４０の複雑な縁部領域５５は、上周縁部４８に３．５個の起伏、下縁部５０に３．５個の起伏、および各側縁部５２，５４に２個の起伏を含み、その周長４６に沿って合計１１個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０５６１）。図示されていないが、本実施形態における周側壁の面積は１．８３３平方インチであり得、これによって周側壁表面積に対する摩擦表面積の比は１．７３：１となる。本実施形態は、溝または面取り部を全く有さない摩擦パッドの例でもある。
【００４９】
図３３は、長さが４．４０９インチで高さが１．６６９インチであり、ゆえに対応の長さ対高さ比（ｌ：ｈ）が２．６４：１であり得る摩擦パッド４０を示す。摩擦面４２の面積は５．３５９平方インチであり得、周縁部４６の長さは１１．２６５インチであり得、対応のコンパクト性は０．０４２２である。図３３に示される摩擦パッド４０の複雑な縁部領域５５は、上周縁部４８に３．５個の起伏、下縁部５０に３．５個の起伏、および各側縁部５２，５４に１個の起伏を含み、その周長４６に沿って合計９個の起伏を含む。周側壁４４の面積は３．６６２平方インチであり得、これによって周側壁表面積に対する摩擦表面積の比は１．４６：１となる。
【００５０】
図３４は、長さが５．６０１インチで高さが約２．１２４インチであり、ゆえに対応の長さ対高さ比（ｌ：ｈ）が２．６４：１であり得る摩擦パッド４０を示す。摩擦面４２の面積は９．８３１平方インチであり得、周縁部４６の長さは１４．８２０インチであり得、対応のコンパクト性は０．０４４８である。図３４に示される摩擦パッド４０の複雑な縁部領域５５は、上周縁部４８に４．５個の起伏、下縁部５０に３．５個の起伏、および各側縁部５２，５４に１．５個の起伏を含み、その周長４６に沿って合計１１個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０５３０）。図示されていないが、本実施形態における周側壁の面積は５．６２８平方インチであり得、これによって周側壁表面積に対する摩擦表面積の比は１．７５：１となる。
【００５１】
図３５は、長さが５．６５９インチで高さが約２．１５０インチであり、ゆえに対応の長さ対高さ比（ｌ：ｈ）が２．２２：１であり得る摩擦パッド４０を示す。摩擦面４２の面積は８．７６０平方インチであり得、周縁部４６の長さは１４．１３９インチであり得、対応のコンパクト性は０．０４３８である。図３５に示される摩擦パッド４０の複雑な縁部領域５５は、上周縁部４８に２．５個の起伏、下縁部５０に２．５個の起伏、および各側縁部５２，５４に２分の１個の起伏を含み、その周長４６に沿って合計６個の起伏を含む。同一のパッドを複雑な縁部領域なしで、かつ起伏縁部を有さずに設計すると、コンパクト性はそれに応じてはるかに高かった（０．０４９６）。周側壁４４の面積は５．３７５平方インチであり得、これによって周側壁表面積に対する摩擦表面積の比は１．６３：１となる。
【００５２】
図３６は、長さが３．１５５インチで高さが１．１９０インチであり、ゆえに対応の長さ対高さ比（ｌ：ｈ）が２．６５：１であり得る摩擦パッド４０を示す。摩擦面４２の面積は３．１６７平方インチであり得、周縁部４６の長さは７．８０８インチであり得、対応のコンパクト性は０．０５１９である。図３６に示される摩擦パッド４０の複雑な縁部領域５５は、上周縁部４８に３．５個の起伏、下縁部５０に２．５個の起伏、および各側縁部５２，５４に１個の起伏を含み、その周長４６に沿って合計８個の起伏を含む。同一のパッドを複雑な縁部領域なしで、かつ起伏縁部を有さずに設計すると、コンパクト性はそれに応じてはるかに高かった（０．０５６１）。図示されていないが、本実施形態における周側壁の面積は１．８３３平方インチであり得、これによって周側壁表面積に対する摩擦表面積の比は１．７３：１となる。
【００５３】
図３７は、長さが５．４０９インチで高さが２．０１１インチであり、ゆえに対応の長さ対高さ比（ｌ：ｈ）が２．６９：１であり得る摩擦パッド４０を示す。摩擦面４２の面積は８．０５２平方インチであり得、周縁部４６の長さは１３．３０１インチであり得、対応のコンパクト性は０．０４５５である。図３７に示される摩擦パッド４０の複雑な縁部領域５５は、上周縁部４８に２．５個の起伏、下縁部５０に２．５個の起伏、および各側縁部５２，５４に１個の起伏を含み、その周長４６に沿って合計７個の起伏を含む。同一のパッドを複雑な縁部領域なしで、かつ起伏縁部を有さずに設計すると、コンパクト性はそれに応じてはるかに高かった（０．０５５９）。図示されていないが、本実施形態における周側壁の面積は４．９８４平方インチであり得、これによって周側壁表面積に対する摩擦表面積の比は１．６２：１となる。
【００５４】
図３８は、長さが４．０９５インチで高さが１．４７３インチであり、ゆえに対応の長さ対高さ比（ｌ：ｈ）が２．７８：１であり得る摩擦パッド４０を示す。摩擦面４２の面積は４．５８７平方インチであり得、周縁部４６の長さは１０．４０８インチであり得、対応のコンパクト性は０．０４２３である。図２１に示される摩擦パッド４０の複雑な縁部領域５５は、上周縁部４８に２．５個の起伏、下縁部５０に１．５個の起伏、および各側縁部５２，５４に１．５個の起伏を含み、その周長４６に沿って合計７個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０５２６）。図示されていないが、本実施形態における周側壁の面積は２．９９１平方インチであり得、これによって周側壁表面積に対する摩擦表面積の比は１．５３：１となる。
【００５５】
図３９は、長さが６．２９１インチで高さが約２．２５４インチであり、ゆえに対応の長さ対高さ比（ｌ：ｈ）が２．７９：１であり得る摩擦パッド４０を示す。摩擦面４２の面積は１１．０６４平方インチであり得、周縁部４６の長さは１６．０７１インチであり得、対応のコンパクト性は０．０４２８である。図３９に示される摩擦パッド４０の複雑な縁部領域５５は、上周縁部４８に３．５個の起伏、下縁部５０に２．５個の起伏、および各側縁部５２，５４に１．５個の起伏を含み、その周長４６に沿って合計９個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０５２０）。図示されていないが、本実施形態における周側壁の面積は５．８３２平方インチであり得、これによって周側壁表面積に対する摩擦表面積の比は１．９０：１となる。
【００５６】
図４０は、長さが４．３８５インチで高さが１．５６９インチであり、ゆえに対応の長さ対高さ比（ｌ：ｈ）が２．７９：１であり得る摩擦パッド４０を示す。摩擦面４２の面積は５．１２２平方インチであり得、周縁部４６の長さは１０．９４５インチであり得、対応のコンパクト性は０．０４２８である。図４０に示される摩擦パッド４０の複雑な縁部領域５５は、上周縁部４８に２．５個の起伏、下縁部５０に１．５個の起伏、および各側縁部５２，５４に２分の１個の起伏を含み、その周長４６に沿って合計５個の起伏を含む。同一のパッドを複雑な縁部領域なしで、かつ起伏縁部を有さずに設計すると、コンパクト性はそれに応じてはるかに高かった（０．０５３０）。図示されていないが、本実施形態における周側壁の面積は３．４６５平方インチであり得、これによって周側壁表面積に対する摩擦表面積の比は１．４８：１となる。
【００５７】
図４１は、長さが４．５７４インチで高さが１．６０５インチであり、ゆえに対応の長さ対高さ比（ｌ：ｈ）が２．８５：１であり得る摩擦パッド４０を示す。摩擦面４２の面積は５．７１８平方インチであり得、周縁部４６の長さは１１．２６４インチであり得、対応のコンパクト性は０．０４５１である。図４１に示される摩擦パッド４０の複雑な縁部領域５５は、上周縁部４８に１．５個の起伏、下縁部５０に１．５個の起伏、および各側縁部５２，５４に２分の１個の起伏を含み、その周長４６に沿って合計４個の起伏を含む。図示されていないが、本実施形態における周側壁の面積は３．５９１平方インチであり得、これによって周側壁表面積に対する摩擦表面積の比は１．５９：１となる。
【００５８】
図４２は、長さが５．５８７インチで高さが１．９３１インチであり、ゆえに対応の長さ対高さ比（ｌ：ｈ）が２．８９：１であり得る摩擦パッド４０を示す。摩擦面４２の面積は７．５７６平方インチであり得、周縁部４６の長さは１３．４５８インチであり得、対応のコンパクト性は０．０４１８である。図４２に示される摩擦パッド４０の複雑な縁部領域５５は、上周縁部４８に２．５個の起伏、下縁部５０に２．５個の起伏、および各側縁部５２，５４に１個の起伏を含み、その周長４６に沿って合計８個の起伏を含む。同一のパッドを複雑な縁部領域なしで、かつ起伏縁部を有さずに設計すると、コンパクト性はそれに応じてはるかに高かった（０．０５４４）。周側壁４４の面積は５．１５２平方インチであり得、これによって周側壁表面積に対する摩擦表面積の比は１．４７：１となる。
【００５９】
図４３は、長さが５．５０２インチで高さが１．８６２インチであり、ゆえに対応の長さ対高さ比（ｌ：ｈ）が２．９５：１であり得る摩擦パッド４０を示す。摩擦面４２の面積は７．６５５平方インチであり得、周縁部４６の長さは１３．４７５インチであり得、対応のコンパクト性は０．０４２２である。図４３に示される摩擦パッド４０の複雑な縁部領域５５は、上周縁部４８に４．５個の起伏、下縁部５０に４．５個の起伏、および各側縁部５２，５４に２個の起伏を含み、その周長４６に沿って合計１３個の起伏を含む。側縁部５２における起伏は、他方の側縁部５４における起伏を鏡映している。同一のパッドを複雑な縁部領域なしで、かつ起伏縁部を有さずに設計すると、コンパクト性はそれに応じてはるかに高かった（０．０５１５）。図示されていないが、本実施形態における周側壁の面積は４．０４４平方インチであり得、これによって周側壁表面積に対する摩擦表面積の比は１．８９：１となる。
【００６０】
図１６〜図４３に示される上述の半伸長摩擦パッド実施形態の平均コンパクト性は、０．０４７である。複雑なエッジプロファイルを有さない半伸長摩擦パッドとは対照的に、半伸長摩擦パッドのコンパクト性は０．０３９４（を含む）から０．０４９５（を含む）の範囲にあり得る。別の実施形態では、半伸長摩擦パッドのコンパクト性は０．０３９４（を含む）から０．０４７４（を含む）の範囲にあり得る。さらに別の実施形態では、半伸長摩擦パッドのコンパクト性は０．０４２２（を含む）から０．０４４９（を含む）の範囲にあり得る。複雑なエッジプロファイルを有さない、匹敵する半伸長摩擦パッドの平均コンパクト性は、複雑なエッジプロファイルを有する摩擦パッドの平均コンパクト性よりもはるかに高い（０．０５５６対０．０４７）。
【００６１】
図４４〜図５０は、長さ対高さ比（ｌ：ｈ）が３：１またはそれ以上であり、典型的に５：１以下である伸長摩擦パッドを示す。図４４は、長さが５．８４０インチで高さが１．９１０インチであり、ゆえに対応の長さ対高さ比（ｌ：ｈ）が３．０６：１であり得る摩擦パッド４０を示す。摩擦面４２の面積は８．６２１平方インチであり得、周縁部４６の長さは１３．８０８インチであり得、対応のコンパクト性は０．０４５２である。図４４に示される摩擦パッド４０の複雑な縁部領域５５は、上周縁部４８に４．５個の起伏、下縁部５０に１．５個の起伏、および各側縁部５２，５４に２分の１個の起伏を含み、その周長４６に沿って合計７個の起伏を含む。同一のパッドを複雑な縁部領域なしで、かつ起伏縁部を有さずに設計すると、コンパクト性はそれに応じてはるかに高かった（０．０５１６）。周側壁４４の面積は４．５５６平方インチであり得、これによって周側壁表面積に対する摩擦表面積の比は１．８９：１となる。
【００６２】
図４５は、長さが４．４００インチで高さが１．３９５インチであり、ゆえに対応の長さ対高さ比（ｌ：ｈ）が３．１５：１であり得る摩擦パッド４０を示す。摩擦面４２の面積は５．１３８平方インチであり得、周縁部４６の長さは１０．４５７インチであり得、対応のコンパクト性は０．０４７０である。図４５に示される摩擦パッド４０の複雑な縁部領域５５は、上周縁部４８に３．５個の起伏、下縁部５０に４．５個の起伏、および各側縁部５２，５４に２分の１個の起伏を含み、その周長４６に沿って合計９個の起伏を含む。図示されていないが、本実施形態における周側壁の面積は４．０１３平方インチであり得、これによって周側壁表面積に対する摩擦表面積の比は１．２８：１となる。
【００６３】
図４６は、長さが５．６２５インチで高さが１．６７８インチであり、ゆえに対応の長さ対高さ比（ｌ：ｈ）が３．３５：１であり得る摩擦パッド４０を示す。摩擦面４２の面積は７．９６３平方インチであり得、周縁部４６の長さは１４．０５５インチであり得、対応のコンパクト性は０．０４０３である。図４６に示される摩擦パッド４０の複雑な縁部領域５５は、上周縁部４８に２．５個の起伏、下縁部５０に３．５個の起伏、および各側縁部５２，５４に２分の１個の起伏を含み、その周長４６に沿って合計７個の起伏を含む。周側壁４４の面積は４．９７２平方インチであり得、これによって周側壁表面積に対する摩擦表面積の比は１．６０：１となる。
【００６４】
図４７は、長さが４．８３３インチで高さが１．４２４インチであり、ゆえに対応の長さ対高さ比（ｌ：ｈ）が３．３９：１であり得る摩擦パッド４０を示す。摩擦面４２の面積は５．０８３平方インチであり得、周縁部４６の長さは１１．５６６インチであり得、対応のコンパクト性は０．０３８０である。図４７に示される摩擦パッド４０の複雑な縁部領域５５は、上周縁部４８に５．５個の起伏、下縁部５０に３．５個の起伏、および各側縁部５２，５４に１個の起伏を含み、その周長４６に沿って合計１１個の起伏を含む。同一のパッドを複雑な縁部領域なしで、かつ起伏縁部を有さずに設計すると、コンパクト性はそれに応じてはるかに高かった（０．０４８５）。図示されていないが、本実施形態における周側壁の面積は４．３１２平方インチであり得、これによって周側壁表面積に対する摩擦表面積の比は１．１８：１となる。
【００６５】
図４８は、長さが６．７３６インチで高さが１．７８２インチであり、ゆえに対応の長さ対高さ比（ｌ：ｈ）が３．７８：１であり得る摩擦パッド４０を示す。この特定の摩擦パッドは他の実施形態よりも弓形の形状を有しており、したがって、高さを求める際には注意すべきである。摩擦面４２の面積は１１．９８６平方インチであり得、周縁部４６の長さは１７．２０４インチであり得、対応のコンパクト性は０．０４０５である。図４８に示される摩擦パッド４０の複雑な縁部領域５５は、上周縁部４８に３．５個の起伏、下縁部５０に４．５個の起伏、および各側縁部５２，５４に２分の１個の起伏を含み、その周長４６に沿って合計９個の起伏を含む。同一のパッドを複雑な縁部領域なしで、かつ起伏縁部を有さずに設計すると、コンパクト性はそれに応じてはるかに高かった（０．０４７３）。周側壁４４の面積は６．３５６平方インチであり得、これによって周側壁表面積に対する摩擦表面積の比は１．８９：１となる。図４８は、ブロック矢印によって示される気流パターンも示しており、示されるように、波の山５７および波の谷５９ならびに溝５６を有する複雑なエッジプロファイル５５などの特徴は、気流パターンを変化させることができる。この気流パターンは、摩擦パッド４０の各摩擦面４２の周りの冷却を促進し得る。
【００６６】
図４９は、長さが６．３１４インチで高さが１．６３１インチであり、ゆえに対応の長さ対高さ比（ｌ：ｈ）が３．８７：１であり得る摩擦パッド４０を示す。摩擦面４２の面積は８．７８６平方インチであり得、周縁部４６の長さは１４．６５０インチであり得、対応のコンパクト性は０．０４０９である。図４９に示される摩擦パッド４０の複雑な縁部領域５５は、上周縁部４８に４．５個の起伏、下縁部５０に２．５個の起伏、および各側縁部５２，５４に１個の起伏を含み、その周長４６に沿って合計９個の起伏を含む。同一のパッドを複雑な縁部領域なしで、かつ起伏縁部を有さずに設計すると、コンパクト性はそれに応じてはるかに高かった（０．０４３５）。周側壁４４の面積は６．０２０平方インチであり得、これによって周側壁表面積に対する摩擦表面積の比は１．４６：１となる。
【００６７】
図５０は、長さが８．２５０インチで高さが１．９４７インチであり、ゆえに対応の長さ対高さ比（ｌ：ｈ）が４．２４：１であり得る摩擦パッド４０を示す。摩擦面４２の面積は１１．９８９平方インチであり得、周縁部４６の長さは１９．０５７インチであり得、対応のコンパクト性は０．０３３０である。図５０に示される摩擦パッド４０の複雑な縁部領域５５は、上周縁部４８に３．５個の起伏、下縁部５０に２．５個の起伏、および各側縁部５２，５４に２分の１個の起伏を含み、その周長４６に沿って合計７個の起伏を含む。図示されていないが、本実施形態における周側壁の面積は７．２６８平方インチであり得、これによって周側壁表面積に対する摩擦表面積の比は１．６５：１となる。
【００６８】
図４４〜図５０に示される伸長摩擦パッドについて、コンパクト性は０．０３３０（を含む）から０．０４７０（を含む）の範囲である。別の実施形態では、伸長摩擦パッドのコンパクト性は０．０３３０（を含む）から０．０４５２（を含む）の範囲にあり得る。さらに別の実施形態では、伸長摩擦パッドのコンパクト性は０．０３８０（を含む）から０．０４０５（を含む）の範囲にあり得る。伸長摩擦パッドについての平均コンパクト性は０．０４０７であり、これは、予想通り、同様の伸長摩擦パッドについての平均コンパクト性（０．０４７７）よりもはるかに低い。全体で、図１０〜図５０について、周側壁の面積に対する摩擦面の面積の比は１．１８：１（を含む）から２．４９：１（を含む）の範囲であった。起伏の数は４個（を含む）から１３個（を含む）の範囲であり、さらに多くの摩擦パッドは７個（を含む）から９個（を含む）の起伏を有していた。最後に、図５１〜図６０Ｃは、さまざまな市販の先行技術の摩擦パッドと比較した摩擦パッド４０の性能向上、または場合によっては、少なくとも匹敵する性能を実証する、さまざまなシミュレートした、かつ実際の試験結果を示す。
【００６９】
上記は発明の１つ以上の好ましい例示的な実施形態の説明であると理解されるものとする。発明は本明細書に開示される特定の実施形態に限定されず、むしろ以下の請求項によってのみ規定される。さらに、上記の説明に含まれる記載は特定の実施形態に関するものであり、用語または句が上記に明確に規定されている場合を除き、発明の範囲に対する、または請求項で用いられる用語の定義に対する限定と解釈されないものとする。さまざまな他の実施形態、ならびに開示された実施形態に対するさまざまな変更および修正が当業者に明らかになるであろう。たとえば、示された実施形態は、複雑なエッジプロファイルを有する摩擦パッドをディスクブレーキパッドに対して使用することを開示しているが、それらの複雑なエッジプロファイル設計はドラムブレーキパッドに対しても利用され得ることが認識されるであろう。すべてのそのような他の実施形態、変更、および修正は添付の請求項の範囲内に収まることが意図されている。
【００７０】
本明細書および請求項における「たとえば」、「例」、「例として」、「など」、および「等」という用語、ならびに「備える」、「有する」、「含む」という動詞、ならびにそれらの他の動詞の形態は、１つ以上の構成要素または他の項目の一覧とともに用いられる場合、各々がオープンエンドであると解釈されるものとし、つまり当該一覧は他の付加的な構成要素または項目を排除すると見なされないものとする。他の用語は、異なる解釈を要求する文脈において用いられない限り、それらの最も広範な合理的な意味を用いて解釈されるものとする。
【図１】
0006626006.tif 000006
【図２】
0006626006.tif 000007
【図３】
0006626006.tif 000008
【図４Ａ】
0006626006.tif 000009
【図４Ｂ】
0006626006.tif 000010
【図４Ｃ】
0006626006.tif 000011
【図５】
0006626006.tif 000012
【図６】
0006626006.tif 000013
【図７】
0006626006.tif 000014
【図８】
0006626006.tif 000015
【図９】
0006626006.tif 000016
【図１０】
0006626006.tif 000017
【図１１】
0006626006.tif 000018
【図１２】
0006626006.tif 000019
【図１３】
0006626006.tif 000020
【図１４】
0006626006.tif 000021
【図１５】
0006626006.tif 000022
【図１６】
0006626006.tif 000023
【図１７】
0006626006.tif 000024
【図１８】
0006626006.tif 000025
【図１９】
0006626006.tif 000026
【図２０】
0006626006.tif 000027
【図２１】
0006626006.tif 000028
【図２２Ａ】
0006626006.tif 000029
【図２２Ｂ】
0006626006.tif 000030
【図２２Ｃ】
0006626006.tif 000031
【図２３】
0006626006.tif 000032
【図２４】
0006626006.tif 000033
【図２５】
0006626006.tif 000034
【図２６】
0006626006.tif 000035
【図２７】
0006626006.tif 000036
【図２８】
0006626006.tif 000037
【図２９】
0006626006.tif 000038
【図３０】
0006626006.tif 000039
【図３１】
0006626006.tif 000040
【図３２】
0006626006.tif 000041
【図３３】
0006626006.tif 000042
【図３４】
0006626006.tif 000043
【図３５】
0006626006.tif 000044
【図３６】
0006626006.tif 000045
【図３７】
0006626006.tif 000046
【図３８】
0006626006.tif 000047
【図３９】
0006626006.tif 000048
【図４０】
0006626006.tif 000049
【図４１】
0006626006.tif 000050
【図４２】
0006626006.tif 000051
【図４３】
0006626006.tif 000052
【図４４】
0006626006.tif 000053
【図４５】
0006626006.tif 000054
【図４６】
0006626006.tif 000055
【図４７】
0006626006.tif 000056
【図４８】
0006626006.tif 000057
【図４９】
0006626006.tif 000058
【図５０】
0006626006.tif 000059
【図５１】
0006626006.tif 000060
【図５２】
0006626006.tif 000061
【図５３】
0006626006.tif 000062
【図５４】
0006626006.tif 000063
【図５５】
0006626006.tif 000064
【図５６Ａ】
0006626006.tif 000065
【図５６Ｂ】
0006626006.tif 000066
【図５６Ｃ】
0006626006.tif 000067
【図５７Ａ】
0006626006.tif 000068
【図５７Ｂ】
0006626006.tif 000069
【図５７Ｃ】
0006626006.tif 000070
【図５８Ａ】
0006626006.tif 000071
【図５８Ｂ】
0006626006.tif 000072
【図５８Ｃ】
0006626006.tif 000073
【図５９Ａ】
0006626006.tif 000074
【図５９Ｂ】
0006626006.tif 000075
【図５９Ｃ】
0006626006.tif 000076
【図６０Ａ】
0006626006.tif 000077
【図６０Ｂ】
0006626006.tif 000078
【図６０Ｃ】
0006626006.tif 000079